(57)【要約】【課題】  品質をあまり損なわず音声データをデジタル化する。【解決手段】  ハードディスクレコーダ１０は、ＶＣＲ読取部２１と、Ａ／Ｄコンバータ５４と、制御部３６と、デジタル出力端子３３とを含む。ＶＣＲ読取部２１は、映像および音声をアナログ信号として記録するビデオカセットから、アナログ信号を読出す。Ａ／Ｄコンバータ５４は、所定の単位時間に変換した信号の個数が特定数となるように、アナログ信号を、デジタル信号に変換する。制御部３６は、Ａ／Ｄコンバータ５４が変換した第１のデジタル信号を用いて、所定の単位時間に生成する信号の個数が規格数に等しい個数となるように、音声を表わす第２のデジタル信号を生成する。デジタル出力端子３３は、デジタル信号を出力する。【選択図】        図１
2006303891.tif 000002
【特許請求の範囲】
【請求項１】
映像および音声をアナログ信号として記録する第１の記録媒体から、前記アナログ信号を読出す第１の読出手段と、
所定の単位時間に変換した信号の個数が、前記アナログ信号をデジタル信号に変換するための規格において定める規格数よりも多い特定数となるように、前記第１の読出手段が読出したアナログ信号を、デジタル信号に変換するための変換手段と、
前記変換手段が変換した音声を表わす第１のデジタル信号を用いて、前記第１のデジタル信号が表わす値の平均値を表わすデジタル信号を生成することにより、前記所定の単位時間に生成する信号の個数が前記規格数に等しい個数となるように、音声を表わす第２のデジタル信号を生成するための生成手段と、
映像および音声をデジタル信号として記録する第２の記録媒体から、前記デジタル信号を読出す第２の読出手段と、
前記第２の読出手段が読出したデジタル信号を復号するための復号手段と、
デジタル信号を出力するための出力手段と、
前記生成手段が生成した第２のデジタル信号および前記復号手段が復号したデジタル信号のうち、前記出力手段がいずれのデジタル信号を出力するかを制御するための制御手段とを含む、映像および音声の読出装置。
【請求項２】
映像および音声をアナログ信号として記録する第１の記録媒体から、前記アナログ信号を読出す第１の読出手段と、
所定の単位時間に変換した信号の個数が、前記アナログ信号をデジタル信号に変換するための規格において定める規格数よりも多い特定数となるように、前記第１の読出手段が読出したアナログ信号を、デジタル信号に変換するための変換手段と、
前記変換手段が変換した音声を表わす第１のデジタル信号を用いて、前記所定の単位時間に生成する信号の個数が前記規格数に等しい個数となるように、音声を表わす第２のデジタル信号を生成するための生成手段と、
デジタル信号を出力するための出力手段とを含む、映像および音声の読出装置。
【請求項３】
前記生成手段は、前記第１のデジタル信号が表わす値を演算した結果を表わすデジタル信号を生成することにより、前記第２のデジタル信号を生成するための手段を含む、請求項２に記載の映像および音声の読出装置。
【請求項４】
前記第２のデジタル信号を生成するための手段は、前記第１のデジタル信号が表わす値の平均値を表わすデジタル信号を生成することにより、前記第２のデジタル信号を生成するための手段を含む、請求項３に記載の映像および音声の読出装置。
【請求項５】
前記映像および音声の読出装置は、
映像および音声をデジタル信号として記録する第２の記録媒体から、前記デジタル信号を読出す第２の読出手段と、
前記第２の読出手段が読出したデジタル信号を復号するための復号手段と、
前記生成手段が生成した第２のデジタル信号および前記復号手段が復号したデジタル信号のうち、前記出力手段がいずれのデジタル信号を出力するかを制御するための制御手段とをさらに含む、請求項２に記載の映像および音声の読出装置。
【発明の詳細な説明】
【技術分野】
【０００１】
本発明は、映像および音声の読出装置に関し、特に、音声出力に信号処理を施す、映像および音声の読出装置に関する。
【背景技術】
【０００２】
特許文献１は、オーディオ入力部からアナログ音声データ信号を入力し、Ａ／Ｄ（Analog-to-Digital）コンバータでデジタル変換し、圧縮部で圧縮し、外部記録回路部に接続されている外部メモリに記録し、外部メモリから圧縮したデジタル音声データを読出し、伸長部で伸長し、Ｄ／Ａ（Digital-to-Analog）コンバータでアナログ変換し、オーディオ出力部から出力し、プロテクト処理部で認証データ処理を行ったデジタル音声データを汎用インターフェイス回路部から転送し、汎用インターフェイス回路部から入力したデジタル音声データの認証データ処理をプロテクト処理部で行なう音声再生記録装置を開示する。
【０００３】
特許文献１に開示された発明によると、多様な音声データの圧縮・伸長方式に対応でき、かつデジタル音声データの暗号化・復号化処理および認証処理を可能とすることができる。
【０００４】
特許文献２は、所定の通信フォーマットによるデータバスを介してコマンドの送受信が可能とされると共に、データバスを介してメディア再生装置から伝送されてくる複数種類の信号形式の再生データを受信できる通信部と、通信部により受信される複数種類の信号形式の再生データに対応した信号処理を可能する信号処理部と、所要のタイミングでもって、メディア再生装置に対して、現在再生対象となっているメディアの種別を示すメディア種別情報を要求する要求情報を、通信部により送信させる第１の制御部と、通信部により受信したメディア種別情報に基づいて、信号処理部に対する所要の制御を実行する第２の制御部とを備える信号処理装置を開示する。
【０００５】
特許文献２に開示された発明によると、メディアから再生した再生データそのものに対してチェックを行なわなくとも、再生装置側において再生対象となるメディアが装填されてさえいれば、メディア種別に応じた再生データの形式などを判定できる。
【０００６】
特許文献３は、ＴＶ信号と記録媒体から出力される信号を処理してデータストリームを出力する信号受信部と、使用者により選択された機能に基づいて信号受信部から出力されるデータストリームを選択し、ビデオストリームとオーディオストリームとを出力する分離部と、分離部から出力されるビデオストリームを、ＨＤ級の映像およびＳＤ級の映像のうち１つに復号した後、ＨＤ級あるいはＨＤ級のいずれかまたは双方の映像を表示するディスプレイ部と、分離部から出力されるオーディオストリームを復号して再生するオーディオ部とを備えることを特徴とするデジタルオーディオ／ビデオシステムを開示する。
【０００７】
特許文献３に開示された発明によると、デジタルＡ／Ｖ（Audio/Video）システムにおいて、互いに重なる多数のブロックを統合して最適のシステムを実現できる。
【特許文献１】特開２００１−１８４０８９号公報
【特許文献２】特開２００３−２８９３０４号公報
【特許文献３】特開２０００−３２３８６号公報
【発明の開示】
【発明が解決しようとする課題】
【０００８】
しかし、特許文献１〜特許文献３に開示された発明では、いずれもデジタル化された音声データの質について何ら考慮されていないという問題点がある。
【０００９】
本発明は上述の問題点を解決するためになされたものであって、その目的は、品質をあまり損なわず音声データをデジタル化できる映像および音声の読出装置を提供することにある。
【課題を解決するための手段】
【００１０】
上記目的を達成するために、本発明のある局面に従うと、映像および音声の読出装置は、第１の読出手段と、変換手段と、生成手段と、第２の読出手段と、復号手段と、出力手段と、制御手段とを含む。第１の読出手段は、映像および音声をアナログ信号として記録する第１の記録媒体から、アナログ信号を読出す。変換手段は、所定の単位時間に変換した信号の個数が、アナログ信号をデジタル信号に変換するための規格において定める規格数よりも多い特定数となるように、第１の読出手段が読出したアナログ信号を、デジタル信号に変換する。生成手段は、変換手段が変換した音声を表わす第１のデジタル信号を用いて、第１のデジタル信号が表わす値の平均値を表わすデジタル信号を生成することにより、所定の単位時間に生成する信号の個数が規格数に等しい個数となるように、音声を表わす第２のデジタル信号を生成する。第２の読出手段は、映像および音声をデジタル信号として記録する第２の記録媒体から、デジタル信号を読出す。復号手段は、第２の読出手段が読出したデジタル信号を復号する。出力手段は、デジタル信号を出力する。制御手段は、生成手段が生成した第２のデジタル信号および復号手段が復号したデジタル信号のうち、出力手段がいずれのデジタル信号を出力するかを制御する。
【００１１】
本発明の他の局面に従うと、映像および音声の読出装置は、第１の読出手段と、変換手段と、生成手段と、出力手段とを含む。第１の読出手段は、映像および音声をアナログ信号として記録する第１の記録媒体から、アナログ信号を読出す。変換手段は、所定の単位時間に変換した信号の個数が、アナログ信号をデジタル信号に変換するための規格において定める規格数よりも多い特定数となるように、第１の読出手段が読出したアナログ信号を、デジタル信号に変換する。生成手段は、変換手段が変換した音声を表わす第１のデジタル信号を用いて、所定の単位時間に生成する信号の個数が規格数に等しい個数となるように、音声を表わす第２のデジタル信号を生成する。出力手段は、デジタル信号を出力する。
【００１２】
また、上述の生成手段は、第１のデジタル信号が表わす値を演算した結果を表わすデジタル信号を生成することにより、第２のデジタル信号を生成するための手段を含むことが望ましい。
【００１３】
また、上述の第２のデジタル信号を生成するための手段は、第１のデジタル信号が表わす値の平均値を表わすデジタル信号を生成することにより、第２のデジタル信号を生成するための手段を含むことが望ましい。
【００１４】
また、上述の映像および音声の読出装置は、映像および音声をデジタル信号として記録する第２の記録媒体から、デジタル信号を読出す第２の読出手段と、第２の読出手段が読出したデジタル信号を復号するための復号手段と、生成手段が生成した第２のデジタル信号および復号手段が復号したデジタル信号のうち、出力手段がいずれのデジタル信号を出力するかを制御するための制御手段とをさらに含むことが望ましい。
【発明の効果】
【００１５】
本発明に係る映像および音声の読出装置は、品質をあまり損なわず音声データをデジタル化できる。
【発明を実施するための最良の形態】
【００１６】
以下、図面を参照しつつ、本発明の実施の形態について説明する。以下の説明では、同一の部品には同一の符号を付してある。それらの名称および機能も同一である。したがって、それらについての詳細な説明は繰返さない。
【００１７】
図１のハードディスクレコーダ１０は、アナログ記録メディア再生装置およびデジタル記録メディア再生装置を内蔵し、記録メディアから再生されたコンテンツなど供給される各種コンテンツを、装置外部に予め接続されたモニタ装置１４に映像信号または音声信号として視聴可能なように出力する、映像および音声の読出装置である。図１のハードディスクレコーダ１０は、記録メディアから再生されたコンテンツなど供給される各種コンテンツを、装置外部に予め接続されたＡＶアンプ１５に音声を表わすデジタル信号として出力する装置でもある。リモコン（リモートコントローラの略）１２は、ユーザが各種の指令を入力するために操作される装置であり、その指令に対応する赤外線信号を発信する装置である。
【００１８】
ハードディスクレコーダ１０は、ＤＶＤ（Digital Versatile Disc）読取部２０と、ＶＣＲ（Video Cassette Recorder）読取部２１と、ＨＤ（Hard Disk）装置２２と、放送局から送信されるデジタル放送信号を受信する外部のアンテナ６０を接続するチューナ２４と、ＯＳＤ（On Screen Display)５０を内蔵するデコーダ２６と、デコーダ２６が出力した信号の出力先を切替える回路である切替部２７と、メモリ２８と、映像出力部３０と、音声出力部３２と、デジタル出力端子３３と、リモコン受信部３４と、制御部３６と、外部からデジタル情報を供給するための外部装置７０を接続する外部Ｉ／Ｆ（Inter Face）３８とを備える。
【００１９】
ＤＶＤ読取部２０は、映像および音声をデジタル信号として記録する記録媒体（この場合ＤＶＤディスク）から、デジタルコンテンツの情報を表わす、デジタル信号を読出す装置である。本実施の形態の場合、ＤＶＤディスクには、メーカにより、デジタル信号として、予めデジタルコンテンツの情報が記録されている。
【００２０】
ＶＣＲ読取部２１は、ビデオカセットに信号として記録されたアナログコンテンツの情報を読出す装置である。本実施の形態の場合、ビデオカセットには、放送の録画によりアナログコンテンツの情報が記録されている。
【００２１】
ＨＤ装置２２は、ユーザ所望のデジタルコンテンツの信号をハードディスク４２に記録し、その記録したデジタルコンテンツの信号を読出す装置である。ここで、ハードディスク４２に記録される信号としては、たとえばＭＰＥＧ２（Motion Picture Experts Group 2）規格に準拠する映像ファイルやＭＰ３（MPEG-1 Audio Layer3）規格に準拠する音声ファイルなどが挙げられる。
【００２２】
ＨＤ装置２２は、映像および音声をデジタル信号として記録する記録媒体（この場合ハードディスク４２）から、記録された番組を構成する情報（本実施の形態において、この情報は、デジタル信号として記録されている）のいずれかを表わす、デジタル信号を読出す読出しヘッド４４と、記録媒体にデジタル信号として情報を記録する記録ヘッド４６とを含む。
【００２３】
チューナ２４は、アンテナ６０が放送局から発信されるデジタル放送信号を受信すると、制御部３６により指定されるチャンネルの放送信号（デジタルコンテンツの信号）を抽出して出力する装置である。
【００２４】
デコーダ２６は、制御部３６の切替制御により、次にあげる信号のいずれかが与えられると、与えられたその信号を受付け、出力する回路である。与えられ得る第１の信号は、ＤＶＤ読取部２０により再生されたデジタルコンテンツの信号である。与えられ得る第２の信号は、ＶＣＲ読取部２１により再生されたアナログコンテンツの信号である。与えられ得る第３の信号は、ＨＤ装置２２が内蔵するハードディスク４２から読出されたデジタルコンテンツの信号である。与えられ得る第４の信号は、チューナ２４が抽出したデジタルコンテンツの信号である。与えられ得る第５の信号は、外部Ｉ／Ｆ３８を介して外部装置７０から入力されたデジタルコンテンツの信号である。デコーダ２６は、ＯＳＤ５０と、ＭＰＥＧ部５２と、Ａ／Ｄコンバータ５４とを含む。
【００２５】
ＯＳＤ５０は制御部３６により与えられた情報に基づいて画像データを生成し、それをモニタ装置１４の画面に可視表示するために映像出力部３０に対して出力する回路である。ＭＰＥＧ部５２は、ＤＶＤ読取部２０および読出しヘッド４４のいずれかが読出したデジタル信号を復号（デコード）し、出力する回路である。Ａ／Ｄコンバータ５４は、アナログコンテンツの信号をデジタル化し、出力する回路である。
【００２６】
メモリ２８には、チューナ２４が受信可能な放送チャンネルが予めチャンネルスキャン（オートスキャン）して取得されて格納され、また、制御部３６の動作プログラムが格納される。メモリ２８には、後述する情報の処理のためのフラグやデータも格納されている。
【００２７】
映像出力部３０は、デコーダ２６が復号した映像データを出力する装置である。映像出力部３０は、映像データをモニタ装置１４が出力可能な映像信号に変換した後、映像信号をモニタ装置１４に対して出力する装置である。
【００２８】
音声出力部３２は、デコーダ２６が復号した音声データを出力する装置である。音声出力部３２は、音声データをモニタ装置１４が出力可能な音声信号に変換した後、音声信号をモニタ装置１４に対して出力する装置である。
【００２９】
デジタル出力端子３３は、Ａ／Ｄコンバータ５４が変換したデジタル信号、制御部３６が生成したデジタル信号、およびＭＰＥＧ部５２が復号したデジタル信号のいずれかを出力する端子である。
【００３０】
リモコン受信部３４は、赤外線を介してリモコン１２から発信される各種の指令信号を受信する装置である。リモコン受信部３４は、受信した指令信号を制御部３６に伝送する。
【００３１】
制御部３６は、メモリ２８に格納された動作プログラムに基づいて装置各部の制御を行なう回路である。制御部３６は、Ａ／Ｄコンバータ５４が出力したデジタル信号を読取る回路でもある。制御部３６は、演算した値を表わす信号を、Ａ／Ｄコンバータ５４が出力したデジタル信号と同じ規格に則って生成する回路でもある。
【００３２】
図２を参照して、ハードディスクレコーダ１０で実行されるプログラムは、メニューの選択に関し、以下のような制御を実行する。
【００３３】
ステップ１００（以下、ステップをＳと略す。）にて、リモコン受信部３４は、リモコン１２からの信号を受付ける。信号が受付けられると、リモコン受信部３４は、受付けた信号を、制御部３６が利用できる信号に変換した後、変換後の信号を制御部３６に出力する。
【００３４】
Ｓ１０２にて、制御部３６は、リモコン受信部３４が出力した信号がメニューを表示すべき旨の信号か否かを判断する。メニューを表示すべき旨の信号と判断した場合（Ｓ１０２にてＹＥＳ）、処理はＳ１０４へと移される。もしそうでないと（Ｓ１０２にてＮＯ）、処理は終了する。
【００３５】
Ｓ１０４にて、制御部３６は、ＯＳＤ５０に信号を出力する。ＯＳＤ５０は、メニュー画像のデータを作成する。データが作成されると、ＯＳＤ５０は、作成したデータを映像出力部３０に出力する。切替部２７は、制御部３６の制御に応じて、ＯＳＤ５０が出力したデータを、映像出力部３０に出力させる。映像出力部３０は、ＯＳＤ５０が出力したデータをモニタ装置１４に出力する。モニタ装置１４は、映像出力部３０が出力したデータに基づき、メニュー画面を表示する。
【００３６】
Ｓ１０６にて、リモコン受信部３４は、リモコン１２を介してユーザからメニュー選択のための信号を受付ける。信号が受付けられると、リモコン受信部３４は、受付けられた信号を、制御部３６が利用できる信号に変換する。信号が変換されると、リモコン受信部３４は、制御部３６に対し、変換された信号を出力する。
【００３７】
Ｓ１０８にて、制御部３６は、リモコン受信部３４が出力した信号が、ユーザの選択が確定した旨の信号か否かを判断する。ユーザの選択が確定した旨の信号と判断した場合（Ｓ１０８にてＹＥＳ）、処理はＳ１１０へと移される。もしそうでないと（Ｓ１０８にてＮＯ）、処理はＳ１１４へと移される。
【００３８】
Ｓ１１０にて、制御部３６は、フラグの値（本実施の形態の場合、フラグの値はメモリ２８に記憶されている）を参照する。フラグの値が参照されると、制御部３６は、フラグの値に応じた各種の設定を実施する。
【００３９】
Ｓ１１２にて、制御部３６は、ＯＳＤ５０に対し信号を出力する。ＯＳＤ５０はもとの画像（メニュー画像を表示する直前にモニタ装置１４が表示していた画像）を再作成する。再作成された画像のデータは切替部２７および映像出力部３０を介してモニタ装置１４に出力される。モニタ装置１４は出力されたデータに基づきもとの画像を表示する。
【００４０】
Ｓ１１４にて、制御部３６は、リモコン受信部３４が出力した信号に応じメモリ２８にフラグの値を再記憶させる。これにより、制御部３６は、リモコン受信部３４が受付けた信号に応じフラグを変更することとなる。
【００４１】
図３を参照して、ハードディスクレコーダ１０で実行されるプログラムは、信号の出力に関し、以下のような制御を実行する。
【００４２】
Ｓ１２０にて、リモコン受信部３４は、リモコン１２から再生を開始すべき旨の信号を受付ける。信号が受付けられると、リモコン受信部３４は、受付けられた信号を制御部３６が利用できる信号に変換する。信号が変換されると、リモコン受信部３４は、変換された信号を制御部３６に出力する。Ｓ１２２にて、制御部３６は、フラグの値を参照する。
【００４３】
Ｓ１２４にて、制御部３６は、フラグの値に基づき、再生すべき記録媒体がビデオカセットか否かを判断する。ビデオカセットと判断した場合（Ｓ１２４にてＹＥＳ）、処理はＳ１２６へと移される。もしそうでないと（Ｓ１２４にてＮＯ）、処理はＳ１２８へと移される。Ｓ１２６にて、ハードディスクレコーダ１０は、ビデオカセットの信号を読出しかつ出力する。この処理は後述するＳ１４０〜Ｓ１４６の処理に相当する。
【００４４】
Ｓ１２８にて、制御部３６は、フラグの値に基づき、再生されるべき記録媒体がＤＶＤディスクか否かを判断する。ＤＶＤディスクと判断した場合（Ｓ１２８にてＹＥＳ）、処理はＳ１３０へと移される。もしそうでないと（Ｓ１２８にてＮＯ）、処理はＳ１３２へと移される。
【００４５】
Ｓ１３０にて、ＤＶＤ読取部２０は、制御部３６の制御により、ＤＶＤディスクから信号を読出す。読出された信号は、ＤＶＤ読取部２０によりデコーダ２６のＭＰＥＧ部５２に出力される。ＭＰＥＧ部５２は、ＤＶＤ読取部２０が出力した信号を復号する。ＭＰＥＧ部５２は、復号した信号を映像出力部３０、音声出力部３２、およびデジタル出力端子３３のいずれかに出力する。切替部２７は、制御部３６の制御に応じて、ＭＰＥＧ部５２が出力した信号の出力先を切替える。これにより、ＤＶＤディスクの信号が出力されることとなる。
【００４６】
Ｓ１３２にて、ＨＤ装置２２の読出しヘッド４４は、制御部３６の制御により、ハードディスク４２に記録された信号を読出す。読出された信号は、ＭＰＥＧ部５２に出力される。ＭＰＥＧ部５２は、出力された信号を復号する。ＭＰＥＧ部５２は、復号した信号を映像出力部３０、音声出力部３２、およびデジタル出力端子３３のいずれかに出力する。切替部２７は、制御部３６の制御により、ＭＰＥＧ部５２が出力した信号の出力先を切替える。これにより、ハードディスク４２の信号が読出されることとなる。
【００４７】
Ｓ１３４にて、リモコン受信部３４は、リモコン１２からの信号を受付ける。信号が受付けられると、リモコン受信部３４は、受付けられた信号を制御部３６が利用できる信号に変換する。信号が変換されると、リモコン受信部３４は、変換した信号を制御部３６に出力する。制御部３６は、リモコン受信部３４が出力した信号が再生を停止すべき旨の信号か否か（リモコン受信部３４が停止すべき旨の信号を受けたか否か）を判断する。再生を停止すべき旨の信号を受けたと判断した場合（Ｓ１３４にてＹＥＳ）、処理は終了する。もしそうでないと（Ｓ１３４にてＮＯ）、処理はＳ１３６へと移される。
【００４８】
Ｓ１３６にて、制御部３６は、後述する要件に基づき、再生を終了するか否かを判断する。再生を終了する要件は、記録媒体（ＤＶＤディスク、ハードディスク４２、およびビデオカセットのいずれか）が記録した信号の読出が終了したことである。再生を終了すると判断した場合（Ｓ１３６にてＹＥＳ）、処理は終了する。もしそうでないと（Ｓ１３６にてＮＯ）、処理はＳ１２２へと移される。
【００４９】
図４を参照して、本実施の形態に係るハードディスクレコーダ１０は、信号のサンプリングに関し、以下のような制御を実行する。
【００５０】
Ｓ１４０にて、ＶＣＲ読取部２１は、制御部３６の制御により、ビデオカセット（映像および音声をアナログ信号として記録する記録媒体）から、アナログ信号を読出す。読出された信号は、Ａ／Ｄコンバータ５４に出力される。
【００５１】
Ｓ１４２にて、Ａ／Ｄコンバータ５４は、制御部３６の制御により、ＶＣＲ読取部２１が出力したビデオカセットのアナログ信号を、デジタル信号に変換する。変換の際、Ａ／Ｄコンバータ５４は、制御部３６の制御により、ＰＣＭ（Pulse Code Modulation）において規定された周波数（４８ｋＨｚ）よりも高い周波数でサンプリングする。本実施の形態の場合、Ａ／Ｄコンバータ５４は、サンプリング周波数が９６ｋＨｚとなるようにサンプリングする。これにより、Ａ／Ｄコンバータ５４は、所定の単位時間に変換したデジタル信号の個数が、アナログ信号をデジタル信号に変換するための規格（本実施の形態の場合、ＰＣＭが対応する規格）において定める規格数よりも多い特定数（本実施の形態において、特定数は、規格数よりも大きな整数倍の数（本実施の形態の場合２倍）となる数であることが望ましい）となるように、ＶＣＲ読取部２１が読出したアナログ信号を変換することとなる。
【００５２】
Ｓ１４４にて、制御部３６は、Ａ／Ｄコンバータ５４によってサンプリングされた信号が表わす値の平均値を求める。平均値は、サンプリングされた時期の順序が隣り合う信号について求められる。平均値が求められると、制御部３６は、求められた平均値を表わすデジタル信号を生成する。これにより、制御部３６は、Ａ／Ｄコンバータ５４が変換した音声を表わす第１のデジタル信号を用いて、第１のデジタル信号が表わす値の平均値を表わすデジタル信号を生成することにより、所定の単位時間に生成する信号の個数が規格数に等しい個数となるように、音声を表わす第２のデジタル信号を生成することとなる。
【００５３】
Ｓ１４６にて、切替部２７は、デジタル出力端子３３に制御部３６が生成したデジタル信号を出力するように、回路を切替える。これにより、切替部２７は、制御部３６が生成したデジタル信号およびＭＰＥＧ部５２が復号したデジタル信号のうち、デジタル出力端子３３がいずれのデジタル信号を出力するかを制御することとなる。制御部３６は、生成した信号を出力する。生成された信号は、切替部２７およびデジタル信号を介してＡＶアンプ１５に出力される。
【００５４】
以上のような構造およびフローチャートに基づく、ハードディスクレコーダ１０の動作について説明する。
【００５５】
リモコン受信部３４は、リモコン１２からの信号を受付ける（Ｓ１００）。信号が受付けられると、制御部３６は、受付けられた信号がメニューを表示すべき旨の信号か否かを判断する（Ｓ１０２）。この場合、リモコン受信部３４によって受付けられた信号がメニューを表示すべき旨の信号とすると（Ｓ１０２にてＹＥＳ）、ＯＳＤ５０がメニュー画像のデータを作成する（Ｓ１０４）。図５は、ＯＳＤ５０が作成したデータに基づきモニタ装置１４が表示したメニュー画像を表わす図である。メニュー画像のデータが作成されると、リモコン受信部３４は、メニュー選択のための信号を受付ける（Ｓ１０６）。当初受付けられる信号はメニューの選択が確定した旨の信号ではないので（Ｓ１０８にてＮＯ）、制御部３６は、受付けた信号に応じフラグの値を変更する（Ｓ１１４）。フラグの値が変更されると、Ｓ１０６〜Ｓ１１４の処理が繰返される。最終的に、リモコン受信部３４は、メニューの選択が確定した旨の信号を受信するので（Ｓ１０８にてＹＥＳ）、制御部３６はフラグに応じた各種の選択を実施する（Ｓ１１０）。設定が実施されると、ＯＳＤ５０がもとの画像の画像データを再作成する（Ｓ１１２）。図６は、Ｓ１００〜Ｓ１１２の処理によるデジタル出力の切替えを表わす概念図である。Ｓ１００〜Ｓ１１２の処理により、デジタル出力端子３３が出力する信号は、ＭＰＥＧ部５２が復号した信号になったり、制御部３６が生成した信号になったりする。
【００５６】
もとの画像の画像データが再作成された後、リモコン受信部３４は、リモコン１２から再生を開始すべき旨の信号を受付ける（Ｓ１２０）。信号が受付けられると、制御部３６は、フラグの値を参照する（Ｓ１２２）。フラグの値が参照されると、制御部３６は、再生される記録媒体がビデオカセットか否かを判断する（Ｓ１２４）。再生される記録媒体がビデオカセットとすると（Ｓ１２４にてＹＥＳ）、ＶＣＲ読取部２１はビデオカセットからアナログ信号を読出す（Ｓ１４０）。アナログ信号が読出されると、Ａ／Ｄコンバータ５４はビデオカセットの信号を規格よりも高い周波数でサンプリングする（Ｓ１４２）。信号がサンプリングされると、制御部３６は、サンプリングされた信号の値の平均値を求める。平均値が求められると、制御部３６は、求められた値を表わすデジタル信号を生成する（Ｓ１４４）。デジタル信号が生成されると、制御部３６は、デジタル出力端子３３などを介してデジタル信号を出力する（Ｓ１４６）。信号が出力されると、制御部３６は、停止すべき旨の信号を受付けたか否かを判断する（Ｓ１３４）。信号が受付けられていないとすると（Ｓ１３４にてＮＯ）、制御部３６は、再生を終了するか否かを判断する（Ｓ１３６）。当初、再生は終了しないので（Ｓ１３６にてＮＯ）、Ｓ１２２〜Ｓ１３４の処理が繰返される。最終的に再生を終了するとすると（Ｓ１３６にてＹＥＳ）、再生を終了する。
【００５７】
以上のようにして、ユーザは、本実施の形態に係るハードディスクレコーダを、デジタル信号を入力できる機器に接続すると、メニュー画面での選択により、デジタル音声とアナログ音声とを任意に切替えて聴くことができる。デコーダのＡ／Ｄコンバータを利用することにより、ＶＣＲのアナログ信号がデジタル信号に変換されるためである。本実施の形態に係るハードディスクレコーダは、アナログ信号を高い頻度でサンプリングし、かつサンプリングされた信号が表わす値の平均値を求めることにより、読出された信号の質を向上させる。あわせて、読出された信号は、市販のアンプへの出力が容易となる。図７は、ビデオテープに記録された信号の周波数と読出された信号の出力レベルとの関係を表わす図である。周波数の値が「Ａ」〜「Ｂ」の範囲および「Ｃ」〜「Ｄ」の範囲にある場合、出力レベルは低下する。高い頻度でサンプリングされかつ平均値が制御部により求められることで、出力レベルが低下した範囲の信号であっても、コンテンツの品質が損なわれることはほとんどなくなる。本実施の形態に係るハードディスクレコーダは、品質があまり損なわれていない音声データを、２チャンネルの信号として出力できる。音声データが２チャンネルの信号として出力されると、出力された音声データを５．１チャンネルの音声として出力することができる。出力された５．１チャンネルの音声は、品質があまり損なわれていない音声である。その結果、品質をあまり損なわず音声データをデジタル化できるハードディスクレコーダを提供することができる。あわせて、本実施の形態に係るハードディスクレコーダは、単にアナログ信号を高い頻度でサンプリングして得たデジタル信号を直接出力する装置に比べ、音声出力部の構造を簡素化できる。音声出力部がＶＣＲのアナログ信号から変換されたデジタル信号とＤＶＤ読取部やＨＤ装置から出力されたデジタル信号とを出力しやすくなるためである。
【００５８】
なお、特定数は、規格数の２倍に限定されない。特定数は、規格数の整数倍（たとえば規格数の３倍）となる数であってもよい。特定数は、規格数の整数倍よりも大きな数（たとえば規格数の１．２倍または規格数の３．５倍または）となる数であってもよい。
【００５９】
また、Ｓ１４４にて生成されるデジタル信号は、Ａ／Ｄコンバータ５４が変換したデジタル信号が表わす値の平均値（Ｓ１４４の場合、相加平均を意味する）以外の値を表わすデジタル信号であってもよい。「平均値以外の値」には、総和を表わす値や、相乗平均を表わす値や、加乗平均を表わす値などが含まれる。これにより、制御部３６は、第１のデジタル信号（Ａ／Ｄコンバータ５４が変換したデジタル信号）が表わす値を演算した結果を表わす、第２のデジタル信号を生成することとなる。
【００６０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６１】
【図１】本発明の実施の形態に係るハードディスクレコーダの全体構成図である。
【図２】本発明の実施の形態に係るメニュー選択処理の制御の手順を示すフローチャートである。
【図３】本発明の実施の形態に係る信号の出力処理の制御の手順を示すフローチャートである。
【図４】本発明の実施の形態に係る信号のサンプリング処理の制御の手順を示すフローチャートである。
【図５】本発明の実施の形態に係るメニュー画像を表わす図である。
【図６】本発明の実施の形態に係るデジタル出力の切替えを表わす概念図である。
【図７】ビデオテープに記録された信号の周波数と読出された信号の出力レベルとの関係を表わす図である。
【符号の説明】
【００６２】
１０  ハードディスクレコーダ、１２  リモコン、１４  モニタ装置、１５  ＡＶアンプ、２０  ＤＶＤ読取部、２１  ＶＣＲ読取部、２２  ＨＤ装置、２４  チューナ、２６  デコーダ、２７  切替部、２８  メモリ、３０  映像出力部、３２  音声出力部、３３  デジタル出力端子、３４  リモコン受信部、３６  制御部、３８  外部インターフェイス、４２  ハードディスク、４４  読出しヘッド、４６  記録ヘッド、５０  ＯＳＤ、５２  ＭＰＥＧ部、５４  Ａ／Ｄコンバータ、６０  アンテナ、７０  外部装置。
【図１】
2006303891.tif 000003
【図２】
2006303891.tif 000004
【図３】
2006303891.tif 000005
【図４】
2006303891.tif 000006
【図５】
2006303891.tif 000007
【図６】
2006303891.tif 000008
【図７】
2006303891.tif 000009